(57)【要約】【課題】外側絶縁材の剥ぎ取り分離が簡単且つ容易に行え、現場での作業性が向上し、作業の能率アップを図ることができる絶縁材被覆電線を提供する。【解決手段】絶縁材被覆電線１は、導体２を被覆する内側絶縁材３の外面に、内側絶縁材３よりも融点の低いテープ状の離型絶縁材４を被覆し、その離型絶縁材４の外面に、離型絶縁材４を熱融解するような融点を有する外側絶縁材５を被覆して構成している。内側絶縁材３と離型絶縁材４との接触部分に熱融着が起きず、内側絶縁材３と離型絶縁材４との間が境界面に沿って完全に分離されているので、外側絶縁材５を引き剥がした際に、内側絶縁材３の外面に離型絶縁材４が残ったり、内側絶縁材３の外面の一部が剥ぎ取られることがなく、所望する部分の外側絶縁材５を綺麗に剥ぎ取り分離することができる。【選択図】  図３
2007018797.tif 000002
【特許請求の範囲】
【請求項１】
導体の外面に合成樹脂からなる内側絶縁材を被覆し、該内側絶縁材の外面に合成樹脂からなる外側絶縁材を被覆した絶縁材被覆電線であって、
上記内側絶縁材と外側絶縁材との間に、上記内側絶縁材よりも融点の低い合成樹脂からなる離型絶縁材を介在した
絶縁材被覆電線。
【請求項２】
上記内側絶縁材と接触する離型絶縁材の内層部を、該内側絶縁材の融点付近の温度で融解するような融点の高い合成樹脂で構成し、
上記外側絶縁材と接触する離型絶縁材の外層部を、該外側絶縁材の融点付近の温度で融解するような融点の低い合成樹脂で構成した
請求項１に記載の絶縁材被覆電線。
【請求項３】
上記内側絶縁材と外側絶縁材の間に、融点の異なる一対の各離型絶縁材を介在し、
上記外側絶縁材の内面に配置される離型絶縁材を、上記内側絶縁材の外面に配置される離型絶縁材よりも融点の低い合成樹脂で構成した
請求項１に記載の絶縁材被覆電線。
【請求項４】
上記離型絶縁材を、上記内側絶縁材の融点よりも低い温度で融解し、上記外側絶縁材の被覆時に付与される熱で融解するような融点を有する合成樹脂で構成した
請求項１又は３に記載の絶縁材被覆電線。
【請求項５】
上記内側絶縁材を、上記離型絶縁材よりも高い融点を有する合成樹脂で構成した
請求項１乃至４のいずれか１つに記載の絶縁材被覆電線。
【請求項６】
上記外側絶縁材を、上記離型絶縁材を融解するような融点を有する合成樹脂で構成した
請求項１乃至５のいずれか１つに記載の絶縁材被覆電線。
【発明の詳細な説明】
【技術分野】
【０００１】
この発明は、例えば外側絶縁材の剥ぎ取り分離が容易に行え、現場での接続作業を能率よく行うために用いられる絶縁材被覆電線に関する。
【背景技術】
【０００２】
従来、上述のような被覆構造を有するものとしては、例えばストランドを被覆する複数の各防蝕層間或いは特定の各防蝕層間に、防蝕層の樹脂材料よりも融点の高いテープ状の離型剤を介在させて、各防蝕層間に熱融着が起きるのを防止する特許文献１の吊り構造用ケーブルがあるが、外側防蝕層を引き剥がした際に、内側防蝕層の外面の一部が引き剥がされることがあり、内側防蝕層による防蝕性が損なわれる。また、内側防蝕層の露出された外面に離型剤が残ると、ケーブルを保持する手が滑ったり、離型剤が手に付着する等して作業を妨げるため、作業性が悪くなる。また、テープ状の離型剤を、ストランド外周に被覆又は巻き付けるための装置及び工程を設けなければならず、ケーブルを製造するのに時間が掛かる。
【０００３】
他の例としては、ケーブルの内側絶縁層の外面に離型性粉末を塗布して、内側絶縁層と外側絶縁層との間に熱融着が起きるのを防止する特許文献２のケーブル表面への粉末塗布装置があるが、外側絶縁層を引き剥がした際に、内側絶縁層の露出された外面に離型性粉末が残りやすく、ケーブルを接続する際に手が滑ったり、離型製粉末が手に付着する等して作業を妨げるため、作業性が悪くなる。また、離型性粉末を、内側絶縁層の外面に塗布するための装置及び工程を設けなければならず、ケーブルを製造するのに時間が掛かる。
【０００４】
【特許文献１】特開平８−１０９６０５号公報
【特許文献２】特開２０００−２３１８３８号公報
【発明の開示】
【発明が解決しようとする課題】
【０００５】
この発明は上記問題に鑑み、電線を構成する外側絶縁材の剥ぎ取り分離が簡単且つ容易に行え、現場での作業性が向上し、作業の能率アップを図ることができる絶縁材被覆電線の提供を目的とする。
【課題を解決するための手段】
【０００６】
請求項１に記載した発明の絶縁材被覆電線は、導体の外面に合成樹脂からなる内側絶縁材を被覆し、該内側絶縁材の外面に合成樹脂からなる外側絶縁材を被覆した絶縁材被覆電線であって、上記内側絶縁材と外側絶縁材との間に、上記内側絶縁材よりも融点の低い合成樹脂からなる離型絶縁材を介在したことを特徴とする。
【０００７】
この発明によると、導体を被覆する内側絶縁材の外面に、内側絶縁材よりも融点の低い離型絶縁材を被覆し、その離型絶縁材の外面に、離型絶縁材を熱融解するような融点を有する外側絶縁材を被覆する。つまり、内側絶縁材よりも離型絶縁材の融点が低いので、離型絶縁材を熱融解するような温度に融解された外側絶縁材を被覆すれば、離型絶縁材と外側絶縁材との接触部分が融解して互いに熱融着される。
【０００８】
一方、内側絶縁材と接触する離型絶縁材の内面部は融解せず、内側絶縁材と離型絶縁材との接触する部分には熱融着が起きないので、内側絶縁材と離型絶縁材との対向面間に分離可能な境界面が形成され、外側絶縁材を引き剥がす際に、内側絶縁材と離型絶縁材との間に生じる剥離抵抗が小さく、所望する部分に被覆された外側絶縁材を、所望する長さだけ剥ぎ取り分離する作業が簡単且つ容易に行えるとともに、内側絶縁材の露出された外面（又は表面）に離型絶縁材が残ることがない。
【０００９】
上記絶縁材被覆電線とは、例えば比較的線径が太い電線と、比較的線径が細い電線とを含むものであるが、実施例のような断面形状や線径を有する電線のみに限定されるものではない。また、導体は、例えば銅、金等の導電性を有する金属導線を複数本束ねたもの、或いは、棒状や板状を有する金属導体等で構成することができる。
【００１０】
また、内側絶縁材、離型絶縁材、外側絶縁材は、例えばエチレン酢酸ビニル共重合体（ＥＶＡ）、ポリエチレンテレフタレート（ＰＥＴ）、ポリ塩化ビニル（ＰＶＣ）、ポリプロピレン（ＰＰ）、ポリエチレン（ＰＥ）、ポリオレフィン系エラストマー（ＴＰＯ）、エチレンプロピレンゴム（ＥＰＤＭ）、塩素化ポリエチレンゴム（ＣＰＥ）、クロロスルフォン化ポリエチレンゴム（ＣＳＭ）等の絶縁性及び柔軟性、耐熱性、耐水性を有する単一又は複合した合成樹脂で構成することができる。
【００１１】
また、内側絶縁材及び外側絶縁材の材質や融点に応じて、少なくとも内側絶縁材の融点よりも低い温度で融解する材質のものを離型絶縁材として選定するか、或いは、外側絶縁材及び離型絶縁材の材質や融点に応じて、少なくとも離型絶縁材の融点よりも高い温度で融解する材質のものを内側絶縁材として選定するか、或いは、内側絶縁材及び離型絶縁材の材質や融点に応じて、離型絶縁材を融解するような融点を有する材質のものを外側絶縁材として選定することもできる。
【００１２】
請求項２に記載した発明の絶縁材被覆電線は、上記請求項１に記載の構成と併せて、上記内側絶縁材と接触する離型絶縁材の内層部を、該内側絶縁材の融点付近の温度で融解するような融点の高い合成樹脂で構成し、上記外側絶縁材と接触する離型絶縁材の外層部を、該外側絶縁材の融点付近の温度で融解するような融点の低い合成樹脂で構成したことを特徴とする。
【００１３】
この発明によると、２層構造を有する離型絶縁材の外層部のみが外側絶縁材に熱融着するが、内側絶縁材と接触する離型絶縁材の内層部には熱融着が起きず、内側絶縁材と外側絶縁材の融点が略同程度であっても、良好な剥離性が得られる。
【００１４】
請求項３に記載した発明の絶縁材被覆電線は、上記請求項１に記載の構成と併せて、上記内側絶縁材と外側絶縁材の間に、融点の異なる一対の各離型絶縁材を介在し、上記外側絶縁材の内面に配置される離型絶縁材を、上記内側絶縁材の外面に配置される離型絶縁材よりも融点の低い合成樹脂で構成したことを特徴とする。
【００１５】
この発明によると、内側絶縁材と離型絶縁材とが接触する部分、外側絶縁材と離型絶縁材とが接触する部分に熱融着が起きても、一対の各離型絶縁材の接触部分には熱融着が起きず、外側絶縁材の剥ぎ取り分離が簡単且つ容易に行える。
【００１６】
請求項４に記載した発明の絶縁材被覆電線は、上記請求項１又は３に記載の構成と併せて、上記離型絶縁材を、上記内側絶縁材の融点よりも低い温度で融解し、上記外側絶縁材の被覆時に付与される熱で融解するような融点を有する合成樹脂で構成したことを特徴とする。
【００１７】
この発明によると、内側絶縁材よりも低い融点で融解し、外側絶縁材の被覆時に付与される熱で融解するような融点を有する合成樹脂であれば、離型絶縁材を、実施例のような内側絶縁材の融点（約２２４℃）と、外側絶縁材の融点との範囲に含まれるような温度で熱溶解する合成樹脂で構成することができる。
【００１８】
請求項５に記載した発明の絶縁材被覆電線は、上記請求項１乃至４のいずれか１つに記載の構成と併せて、上記内側絶縁材を、上記離型絶縁材よりも高い融点を有する合成樹脂で構成したことを特徴とする。
【００１９】
この発明によると、離型絶縁材よりも高い融点を有する合成樹脂であれば、内側絶縁材を、実施例のような内側絶縁材の融点（約２２４℃）よりも低い温度で熱融解するような合成樹脂で構成することができる。
【００２０】
請求項６に記載した発明の絶縁材被覆電線は、上記請求項１乃至５のいずれか１つに記載の構成と併せて、上記外側絶縁材を、上記離型絶縁材を融解するような融点を有する合成樹脂で構成したことを特徴とする。
【００２１】
この発明によると、離型絶縁材を融解するような融点を有する合成樹脂であれば、実施例のような高い融点（約２２４℃）を有する内側絶縁材、内側絶縁材よりも低い融点（約１００℃以下の融点）を有する離型絶縁材のいずれか一方と略同一の融点を有するか、一方の融点に近い温度の融点を有するような合成樹脂で構成することができる。
【発明の効果】
【００２２】
この発明によれば、電線を構成する内側絶縁材の外面に、内側絶縁材よりも融点の低い離型絶縁材を被覆し、その離型絶縁材の外面に、離型絶縁材を熱融解するような融点を有する外側絶縁材を被覆するので、内側絶縁材と離型絶縁材との間に熱融着が起きることがなく、内側絶縁材と離型絶縁材との間に分離可能な境界面が形成されるため、外側絶縁材を引き剥がす際に生じる剥離抵抗が小さく、外側絶縁材の剥ぎ取り分離が簡単且つ容易に行える。
【００２３】
また、内側絶縁材と離型絶縁材との間が境界面に沿って完全に分離されているので、外側絶縁材を引き剥がした際に、内側絶縁材の露出された外面（又は表面）に離型絶縁材が残ったり、内側絶縁材の外面の一部が剥ぎ取られることがなく、内側絶縁材の絶縁性を損なうことなく、外側絶縁材を綺麗に剥ぎ取り分離することができ、電線を接続する際の作業性が向上する。
【発明を実施するための最良の形態】
【００２４】
この発明は、外側絶縁材の剥ぎ取り分離が簡単且つ容易に行え、現場での作業性が向上し、作業の能率アップを図ることができるという目的を、電線を構成する内側絶縁材と外側絶縁材との間に、該内側絶縁材よりも融点の低い合成樹脂の離型絶縁材を介在することで達成した。
【実施例】
【００２５】
この発明の一実施例を以下図面に基づいて詳述する。
【００２６】
図面は、現場での作業性を向上させ、作業の能率アップを図るときに用いられる絶縁材被覆電線の第１実施例を示し、図１に於いて、この絶縁材被覆電線１は、導電性を有する金属導線を複数本束ねてなる導体２の外面に、ポリエチレンテレフタレート（ＰＥＴ）からなる内側絶縁材３を被覆し、その内側絶縁材３を被覆してなる一対（２本１組）の各導体２，２を所定間隔に隔てて並列配置するとともに、各導体２，２に被覆された各内側絶縁材３，３の外面全体が覆われるように、ポリエチレンテレフタレートよりも融点が低いエチレン酢酸ビニル共重合体（ＥＶＡ）からなるテープ状の離型絶縁材４を被覆し、その離型絶縁材４の外面に、離型絶縁材４を熱融解するような融点を有する合成樹脂からなる外側絶縁材５（シース）を一体的に被覆して構成している。
【００２７】
上記導体２は、例えば導電性を有する金属導線を複数本束ねて構成され、２本の各導体２，２を所定間隔に隔てて並列配置している。また、例えば棒状や板状を有する金属導体等で構成することができる。
【００２８】
なお、内側絶縁材３、離型絶縁材４、外側絶縁材５を構成する合成樹脂は、絶縁性及び柔軟性、耐熱性、耐水性を備えている。
【００２９】
前記内側絶縁材３は、離型絶縁材４を構成するエチレン酢酸ビニル共重合体よりも融点が高く、約２２４℃の融点を有するポリエチレンテレフタレートで構成している。また、エチレン酢酸ビニル共重合体よりも融点が高ければ、ポリエチレンテレフタレート以外の融点を有する合成樹脂で構成してもよい。
【００３０】
前記離型絶縁材４は、内側絶縁材３を構成するポリエチレンテレフタレートよりも融点が低く、約１００℃以下の融点を有するエチレン酢酸ビニル共重合体でテープ状に構成している。また、ポリエチレンテレフタレートよりも融点が低ければ、エチレン酢酸ビニル共重合体以外の合成樹脂で構成してもよい。また、離型絶縁材４を、ポリエチレンテレフタレートの融点よりも低い温度と、エチレン酢酸ビニル共重合体の融点よりも高い温度との範囲内で熱融解するような合成樹脂で構成してもよい。或いは、シート状又はフイルム状に形成した離型絶縁材４を、内側絶縁材３の外面に被覆してもよい。
【００３１】
前記外側絶縁材５は、内側絶縁材３を構成するポリエチレンテレフタレート、又は、離型絶縁材４を構成するエチレン酢酸ビニル共重合体を熱融解するような融点を有する合成樹脂で構成している。また、ポリエチレンテレフタレート、エチレン酢酸ビル共重合体のいずれか一方と略同一の融点を有するか、一方の融点に近い温度の融点を有する合成樹脂で構成してもよい。また、外側絶縁材５を、例えば２層、３層、４層等の複数層被覆してもよい。
【００３２】
つまり、内側絶縁材３を構成するポリエチレンテレフタレートは、離型絶縁材４を構成するエチレン酢酸ビニル共重合体の融点よりも高い温度で熱融解するので、例えばポリエチレンテレフタレート、エチレン酢酸ビル共重合体のいずれか一方を熱融解するような温度に融解された外側絶縁材５を被覆すれば、外側絶縁材５と接触する離型絶縁材４の外面部のみが融解して熱融着するが、内側絶縁材４と接触する離型絶縁材４の内面部は融解せず、内側絶縁材３と離型絶縁材４との間に熱融着が起きるのを防止することができる。
【００３３】
また、外側絶縁材５は、ポリエチレンテレフタレートと略同一の融点を有する合成樹脂、又は、エチレン酢酸ビニル共重合体よりも高い融点を有する合成樹脂で構成してもよい。
【００３４】
また、離型絶縁材４を熱融解するような融点を有する合成樹脂であれば、外側絶縁材５を、ポリエチレンテレフタレート、エチレン酢酸ビル共重合体以外の融点を有する合成樹脂で構成してもよい。
【００３５】
図示実施例は上記の如く構成するものにして、以下、絶縁材被覆電線１を構成する外側絶縁材５の剥ぎ取り方法を説明する。
【００３６】
先ず、図２に示すように、金属導線を複数本束ねてなる各導体２，２の外面に、ポリエチレンテレフタレートからなる内側絶縁材３をそれぞれ被覆し、各導体２，２に被覆された各内側絶縁材３，３の外面全体が覆われるように、エチレン酢酸ビニル共重合体からなるテープ状の離型絶縁材４を長さ方向に対して被覆し、その離型絶縁材４の外面に、離型絶縁材４を熱融解するような融点を有する合成樹脂の外側絶縁材５を一体的に被覆する。
【００３７】
つまり、内側絶縁材３を構成するポリエチレンテレフタレートは、離型絶縁材４を構成するエチレン酢酸ビニル共重合体の融点よりも高い温度（約２２４℃）で融解するので、内側絶縁材３に被覆された離型絶縁材４の外面に、離型絶縁材４を熱融解するような融点を有する合成樹脂の外側絶縁材５を被覆すれば、外側絶縁材５の被覆時に付与される融解熱により、外側絶縁材５と接触する離型絶縁材４の外面部のみが融解し、離型絶縁材４と外側絶縁材５との間が互いに熱融着（図２の最下段の図）される。
【００３８】
外側絶縁材５を被覆する際には、各導体２，２の外面に被覆した内側絶縁材３は既に成形されて冷却されているため、外側絶縁材５の融点と厚さ等を工夫すれば、内側絶縁材３と外側絶縁材５との融点の差がそれほど大きくなくても、離型絶縁材４を外側絶縁材５のみに熱融着させることが可能となる。また、離型絶縁材４の他の被覆方法として、例えば内側絶縁材３の外面に対して押出し成形により被覆してもよい。
【００３９】
一方、内側絶縁材３と接触する離型絶縁材４の内面部は融解せず、内側絶縁材３と離型絶縁材４との接触する部分には熱融着が起きないので、内側絶縁材３と離型絶縁材４との間に分離可能な境界面が形成され、外側絶縁材５の剥ぎ取り分離が容易な図１に示す絶縁材被覆電線１を製造することができる。
【００４０】
上記方法で製造された絶縁材被覆電線１の接続作業を現場で行う場合、内側絶縁材３と離型絶縁材４との間が境界面に沿って完全に分離されているので、各導体２，２の接続側端部に被覆された外側絶縁材５を引き剥がす際に、内側絶縁材３と離型絶縁材４との間に生じる剥離抵抗が小さく、図３、図４に示すように、所望する部分に被覆された外側絶縁材５のみを、所望する長さだけ剥ぎ取り分離する作業が簡単且つ容易に行え、各導体２，２の接続側端部に被覆された内側絶縁材３を所望する長さ露出することができる。
【００４１】
また、外側絶縁材５を引き剥がした際に、内側絶縁材３の露出された外面（又は表面）に離型絶縁材４が残ったり、内側絶縁材３の外面の一部が剥ぎ取られることがなく、内側絶縁材３の絶縁性を損なうことなく、所望する部分の外側絶縁材５のみを綺麗に剥ぎ取り分離することができ、絶縁材被覆電線１を接続する際の作業性が向上し、作業の能率アップを図ることができる。
【００４２】
図５、図６に示す平形の絶縁材被覆電線１は、２本の各導体２，２を近接して並列配置し、各導体２，２の外面に内側絶縁材３を被覆し、内側絶縁材３の外面に離型絶縁材４を被覆し、離型絶縁材４の外面に外側絶縁材５を被覆してなる他の例であり、内側絶縁材３と離型絶縁材４との接触部分には熱融着が起きず、内側絶縁材３と離型絶縁材４との間が境界面に沿って完全に分離されるので、外側絶縁材５の剥ぎ取り分離が簡単且つ容易に行え、上記実施例と同等の作用及び効果を奏することができる。
【００４３】
図７、図８に示す丸形の絶縁材被覆電線１は、３本の各導体２…を略中央部に集合配置し、各導体２…の外面に内側絶縁材３を被覆し、内側絶縁材３の外面に離型絶縁材４を被覆し、離型絶縁材４の外面に外側絶縁材５を被覆してなるその他の例であり、内側絶縁材３と離型絶縁材４との接触部分には熱融着が起きず、内側絶縁材３と離型絶縁材４との間が境界面に沿って完全に分離されるので、外側絶縁材５の剥ぎ取り分離が簡単且つ容易に行え、上記実施例と同等の作用及び効果を奏することができる。
【００４４】
図９、図１０に示す絶縁材被覆電線１は、２層構造の離型絶縁材４を、内側絶縁材３と外側絶縁材５との間に介在した第２実施例であり、内側絶縁材３と接触する離型絶縁材４の内層部４Ａを、内側絶縁材３の融点付近の温度で融解するような例えばポリエチレンテレフタレート等の融点が高い合成樹脂で構成し、外側絶縁材５と接触する離型絶縁材４の外層部４Ｂを、外側絶縁材５の融点付近の温度で融解するような例えばエチレン酢酸ビニル共重合体等の融点が低い合成樹脂で構成している。
【００４５】
つまり、内側絶縁材３の外面に、２層構造を有するテープ状の離型絶縁材４を長さ方向に対して被覆し、離型絶縁材４の外面に、外側絶縁材５を一体的に被覆すれば、２層構造を有する離型絶縁材４の外層部４Ｂのみが外側絶縁材５に対して熱融着するが、内側絶縁材３と接触する離型絶縁材４の内層部４Ａには熱融着が起きず、内側絶縁材３と離型絶縁材４との間に分離可能な境界面が形成されるので、内側絶縁材３と外側絶縁材５の融点が略同程度であっても、良好な剥離性が得られ、上記実施例と同等の作用及び効果を奏することができる。
【００４６】
また、離型絶縁材４の内層部４Ａよりも外層部４Ｂの融点が低ければ、上記ポリエチレンテレフタレート、エチレン酢酸ビニル共重合体以外の合成樹脂で構成してもよい。
【００４７】
図１１、図１２に示す絶縁材被覆電線１は、融点の異なる一対の各離型絶縁材４ａ，４ｂを、内側絶縁材３の外面と外側絶縁材５の内面とにそれぞれ配置した第３実施例であり、内側絶縁材３の外面に、内側絶縁材３の融点に近い温度で熱融解する離型絶縁材４ａを被覆し、その離型絶縁材４ａの外面に、内側絶縁材３及び離型絶縁材４ａの融点よりも低い温度で熱融解する離型絶縁材４ｂを被覆し、離型絶縁材４ｂの外面に外側絶縁材５を被覆して、一対の各離型絶縁材４ａ，４ｂを互いに対接している。
【００４８】
つまり、内側絶縁材３と離型絶縁材４ａとが接触する部分、離型絶縁材４ｂと外側絶縁材５とが接触する部分に熱融着が起きても、一対の各離型絶縁材４ａ，４ｂの接触部分には熱融着が起きず、各離型絶縁材４ａ，４ｂの間に分離可能な境界面が形成されるので、所望する部分に被覆された外側絶縁材５を剥ぎ取り分離する作業が簡単且つ容易に行え、上記実施例と同等の作用及び効果を奏することができる。また、第２及び第３実施例の構成は、前記第１実施例及び他の例、その他の例の絶縁材被覆電線１にも適用することができる。
【００４９】
なお、この発明は、上記実施例の構成のみに限定されるものではなく、請求項に示される技術思想に基づいて応用することができ、多くの実施の形態を得ることができる。
【００５０】
例えば内側絶縁材３よりも離型絶縁材４の融点が低ければ、内側絶縁材３、離型絶縁材４、外側絶縁材５を同一の合成樹脂で構成することもできる。
【００５１】
また、内側絶縁材３自体又は内側絶縁材３の外面を、外側絶縁材５よりも融点の高い合成樹脂で構成するか、外側絶縁材５自体又は外側絶縁材５の内面を、内側絶縁材３よりも融点の低い合成樹脂で構成してもよく、上記実施例と略同等の作用及び効果を奏することができる。
【００５２】
また、絶縁材被覆電線は、比較的線径が太い電線と、比較的線径が細い電線とを含んでいるが、実施例のような断面形状や線径を有する電線のみに限定されるものではない。
【産業上の利用可能性】
【００５３】
本発明の絶縁材被覆電線の構成は、例えばケーブル、コード等の電線にも利用することができる。
【図面の簡単な説明】
【００５４】
【図１】第１実施例の絶縁材被覆電線の内部構造を示す断面斜視図。
【図２】外側絶縁材の被覆構造を示す拡大断面図。
【図３】図２の外側絶縁材の剥ぎ取り状態を示す拡大断面図。
【図４】図１の外側絶縁材の剥ぎ取り状態を示す断面斜視図。
【図５】他の例の絶縁材被覆電線の内部構造を示す断面斜視図。
【図６】図５の外側絶縁材の剥ぎ取り状態を示す断面斜視図。
【図７】その他の例の絶縁材被覆電線の内部構造を示す断面斜視図。
【図８】図７の外側絶縁材の剥ぎ取り状態を示す断面斜視図。
【図９】第２実施例の絶縁材被覆電線の被覆構造を示す拡大断面図。
【図１０】図９の外側絶縁材の剥ぎ取り状態を示す拡大断面図。
【図１１】第３実施例の絶縁材被覆電線の被覆構造を示す拡大断面図。
【図１２】図１１の外側絶縁材の剥ぎ取り状態を示す拡大断面図。
【符号の説明】
【００５５】
１…絶縁材被覆電線
２…導体
３…内側絶縁材
４，４ａ，４ｂ…離型絶縁材
４Ａ…内層部
４Ｂ…外層部
５…外側絶縁材
【図１】
2007018797.tif 000003
【図２】
2007018797.tif 000004
【図３】
2007018797.tif 000005
【図４】
2007018797.tif 000006
【図５】
2007018797.tif 000007
【図６】
2007018797.tif 000008
【図７】
2007018797.tif 000009
【図８】
2007018797.tif 000010
【図９】
2007018797.tif 000011
【図１０】
2007018797.tif 000012
【図１１】
2007018797.tif 000013
【図１２】
2007018797.tif 000014